(57)【特許請求の範囲】
【請求項１】
上面開口の筐体状に形成され、前面壁に形成された嵌合孔と底面壁を貫通して形成された掛止孔とを有する本体ケースと、
前記嵌合孔に嵌合する嵌合部と前記掛止孔に掛止する掛止部とを有し、前記本体ケースに上面から取り付けられて前記本体ケースを仕切ることで、硬貨又は紙幣を収納する金銭収納部を形成する仕切板と、
前記仕切板が前記本体ケースに取り付けられた状態で、前記掛止孔と前記掛止部との間に設けられ前記本体ケースの前記前面壁側に位置する空間部と、を具備し、
前記本体ケースの前記前面壁は、弾性を有し、
前記掛止部は、前記仕切板が前記本体ケースに取り付けられた状態で前記本体ケースの後面壁方向に伸びて前記底面壁の下面に当接する突起部を有する金銭収納箱。
【請求項２】
前記掛止部は、弾性を有するための弾性孔を備える請求項１記載の金銭収納箱。
【発明の詳細な説明】
【０００１】
【発明の属する技術分野】
本発明は、金銭収納箱に関する。
【０００２】
【従来の技術】
一般に、金銭を収納する金銭収納箱を備えるドロワ装置は、ＥＣＲ（Electronic Cash Register：電子式キャッシュレジスタ）やＰＯＳ（Point of Sales：販売時点情報管理）端末等の商品販売データ処理装置による商品販売処理に連動して金銭を出し入れするための装置である。
【０００３】
この種のドロワ装置は、例えば、ＥＣＲに接続されており、金銭を収納するためのマネーケースが着脱自在に収納された上面開口のキャッシュボックスと、このキャッシュボックスを引出自在に収納するキャビネットとを備え、ＥＣＲ側の商品販売処理に伴う締め処理に連動してキャッシュボックスを開放する構造になっている。
【０００４】
マネーケースには、高額紙幣や商品券等の取引に関わる券を収納する券収納部と高額紙幣以外の紙幣を金種別に収納する複数の紙幣収納部とが仕切られた状態で設けられている。そして、券収納部の上部には、硬貨を金種別に収納する金銭収納箱であるコインケースが着脱自在に収納されている。
【０００５】
コインケース１００には、図５に示すように、硬貨を金種別に収納する複数の硬貨収納部１０１が複数の仕切板１０２によって仕切られた状態で設けられている。これらの仕切板１０２は、コインケース１００の内部に形成された複数の溝部１０３に各々嵌合し、コインケース１００に対し着脱自在に設けられている。このようなコインケース１００では、金種毎の硬貨数に応じて仕切板１０２の仕切位置（仕切板１０２を取り付けるために使用する溝部１０３）を変更することで、金種毎の硬貨収納部１０１の収納スペースを変えることができる。
【０００６】
このような構成において、キャッシュボックスがＥＣＲにおける締め処理での締め操作に基づき自動的にキャビネットから引出開放されると、操作者は顧客から受け取った紙幣を紙幣収納部に収納するとともに受け取った硬貨をコインケース１００に収納する。受け取った紙幣が高額紙幣や商品券等であった場合には、コインケース１００を持ち上げて券収納部に収納する。このとき、操作者はコインケース１００の仕切板１０２のつかみやすさから、仕切板１０２をつかんでコインケース１００を持ち上げようとする場合が多い。
【０００７】
【発明が解決しようとする課題】
しかしながら、操作者が仕切板１０２をつかんでコインケース１００を持ち上げようとしても、コインケース１００は硬貨が収納された状態でかなりの重量になっているため仕切板１０２が溝部１０３から抜けてしまい、操作者はコインケース１００を持ち上げることができず、さらに、隣り合って収納された硬貨が混ざり合ってしまう。
【０００８】
また、操作者がある程度の高さまでコインケース１００を持ち上げることができても、そこで仕切板１０２が溝部１０３から抜けてしまうと、コインケース１００が床やマネーケース等の上に落下し、収納された硬貨がコインケース１００から飛び出してしまい、場合によってはコインケース１００が破損してしまう。
【０００９】
本発明の目的は、着脱自在な仕切板をつかんで持ち上げることができる金銭収納箱を得ることである。
【００１０】
【課題を解決するための手段】
本発明の金銭収納箱は、上面開口の筐体状に形成され、前面壁に形成された嵌合孔と底面壁を貫通して形成された掛止孔とを有する本体ケースと、前記嵌合孔に嵌合する嵌合部と前記掛止孔に掛止する掛止部とを有し、前記本体ケースに上面から取り付けられて前記本体ケースを仕切ることで、硬貨又は紙幣を収納する金銭収納部を形成する仕切板と、前記仕切板が前記本体ケースに取り付けられた状態で、前記掛止孔と前記掛止部との間に設けられ前記本体ケースの前記前面壁側に位置する空間部と、を具備し、前記本体ケースの前記前面壁は、弾性を有し、前記掛止部は、前記仕切板が前記本体ケースに取り付けられた状態で前記本体ケースの後面壁方向に伸びて前記底面壁の下面に当接する突起部を有する。
【００１１】
したがって、本体ケースの掛止孔に仕切板の掛止部を挿入し、本体ケースの嵌合孔に仕切板の嵌合部を挿入することによって、仕切板は、掛止部及び嵌合部で本体ケースに確実に固定されて取り付けられ、さらに、掛止部の突起部で本体ケースの底面壁に引っ掛かり、引き上げられる力が加わっても抜けることが無くなり、加えて、本体ケースの前面壁の弾性と空間部とで本体ケースに対し着脱自在になる。
【００１２】
【発明の実施の形態】
本発明の実施の一形態を図１ないし図４に基づいて説明する。本実施の形態は、ドロワ装置が備える金銭収納箱であるコインケースに適用した一例である。なお、以下の説明において方向を述べる際には、操作者から見た方向を適用する。
【００１３】
図１はドロワ装置１をＥＣＲ３と共に概略的に示す外観斜視図である。図１に示すように、ドロワ装置１は、薄型偏平な筐体であって前面に開口部２ａを有するキャビネット２を備え、このキャビネット２の上面に載置されたＥＣＲ３に接続されている。キャビネット２には、上面開口のキャッシュボックス４がキャビネット２の開口部２ａから引出自在に収納されている。
【００１４】
図２はキャッシュボックス４の構造を概略的に示す分解斜視図である。図２に示すように、キャッシュボックス４には、筐体状に形成された上面開口のマネーケース５が着脱自在に収納されている。このマネーケース５には、高額紙幣や商品券等の取引に関わる券を収納する券収納部６と高額紙幣以外の紙幣を金種別に収納する複数の紙幣収納部７とが仕切られた状態で設けられており、券収納部６が手前側に位置付けられ、複数の紙幣収納部７が奥側に位置付けられている。これらの紙幣収納部７には、上下方向に回動自在に軸支された複数の札押え８が各々設けられている。
【００１５】
券収納部６の上部には、硬貨を金種別に収納するためのコインケース９が着脱自在に収納されている。このコインケース９には、上面開口の筐体状に形成された本体ケース１０が設けられ、この本体ケース１０には、硬貨を金種別に収納する金銭収納部である複数の硬貨収納部１１が複数の仕切板１２で仕切られた状態で設けられている。なお、本体ケース１０及び仕切板１２等は樹脂（例えばプラスチック）で形成されており、弾性を有している。
【００１６】
図３はコインケース９の構造を概略的に示す分解斜視図、図４はコインケース９の構造を概略的に示す縦断側面図である。図３及び図４に示すように、複数の仕切板１２は、本体ケース１０の内部に設けられた複数の溝部１３に各々嵌合し、本体ケース１０に対し着脱自在に設けられている。これらの溝部１３は、断面コの字型に形成されており、本体ケース１０の長手方向に直交して本体ケース１０の手前側の前面壁１０ａから底面壁１０ｂを通り奥側の後面壁１０ｃまでライン状に形成されている。さらに、本体ケース１０の前面壁１０ａの上部には、溝部１３上に位置して貫通する嵌合孔１４が溝部１３毎に設けられ、本体ケース１０の底面壁１０ｂには、溝部１３上に位置して貫通する掛止孔１５が溝部１３毎に設けられている。
【００１７】
仕切板１２には、嵌合孔１４に嵌合する嵌合部１６と掛止孔１５に掛止する掛止部１７とが設けられており、これらによって仕切板１２は本体ケース１０に取り付けられている。仕切板１２が本体ケース１０に取り付けられた状態で、掛止部１７には、本体ケース１０の後面壁１０ｃ方向に伸びてその底面壁１０ｂの下面に当接する突起部１８が設けられている。さらに、掛止部１７には、略中央付近に貫通して掛止部１７の弾性変形を許容する弾性孔１９が設けられている。この弾性孔１９は、掛止部１７に弾性を生じさせ、突起部１８が本体ケース１０の底面壁１０ｂの下面に当接してその下面を上方に押圧する押圧力を与える機能を有している。なお、掛止部１７の弾性力は、弾性孔１９の形成位置や大きさ等を変えることで、本体ケース１０に取り付けられた仕切板１２をつかんで硬貨収納状態の本体ケース１０を持ち上げた場合に掛止部１７が弾性変形しないように調整されている。
【００１８】
また、仕切板１２が本体ケース１０に取り付けられた状態で、掛止孔１５と掛止部１７との間には、本体ケース１０の前面壁１０ａ側、すなわち、突起部１８に対し反対側に位置する空間部２０が設けられている。この空間部２０は、掛止部１７の一部分を切欠くことで形成されており、仕切板１２の本体ケース１０に対する着脱に応じた掛止部１７の移動を許容する移動許容空間である。
【００１９】
加えて、仕切板１２が本体ケース１０に取り付けられた状態で、嵌合部１６と嵌合孔１４との間には、嵌合部１６の下部に位置する空間部２１が設けられている。この空間部２１は、嵌合部１６の下部を切欠くことで形成されており、仕切板１２の着脱を容易にするための空間である。なお、嵌合部１６の下面は手前側から奥側に向かうに従って低くなるように形成されている。
【００２０】
このような構成において、操作者が仕切板１２を着脱する場合における着脱作業について説明する。
【００２１】
操作者が仕切板１２を本体ケース１０に取り付ける場合には、本体ケース１０の前面壁１０ａの上部を手前側に引いてたわませながら（図４中二点鎖線参照）、仕切板１２の掛止部１７を掛止孔１５に挿入し、次いで、仕切板１２の嵌合部１６を本体ケース１０の嵌合孔１４に挿入し、仕切板１２を溝部１３に嵌めて本体ケース１０に取り付ける。このとき、仕切板１２の掛止部１７は、空間部２０により突起部１８がスムーズに掛止孔１５に挿入され、さらに、仕切板１２の嵌合部１６は、本体ケース１０の前面壁１０ａが弾性により手前側にたわむことで嵌合孔１４に挿入される。
【００２２】
なお、仕切板１２は、嵌合孔１４に嵌合した嵌合部１６と掛止孔１５に掛止した掛止部１７とによって本体ケース１０に確実に固定されている。この際、掛止部１７は、掛止孔１５の内周面と当接して弾性孔１９により弾性変形し、その復元力で仕切板１２と本体ケース１０の前面壁１０ａとの当接力を強め、同時に、突起部１８で本体ケース１０の底面壁１０ｂを上方向に押圧しながら本体ケース１０の底面壁１０ｂに引っ掛かることで、仕切板１２を本体ケース１０に確実に固定している（図４参照）。これにより、仕切板１２は引き上げられる力が加えられても本体ケース１０から抜けることが無くなる。
【００２３】
次に、操作者が仕切板１２を本体ケース１０から取り外す場合には、仕切板１２を押えながら本体ケース１０の前面壁１０ａの上部を手前側に引いてたわませ（図４中二点鎖線参照）、仕切板１２の嵌合部１６を嵌合孔１４から外し、仕切板１２を手前側の斜め上方に引き上げ、仕切板１２の掛止部１７を掛止孔１５から外して、仕切板１２を本体ケース１０から取り外す。このとき、仕切板１２の嵌合部１６は、本体ケース１０の前面壁１０ａが弾性により手前側にたわむことで嵌合孔１４から外れ、さらに、仕切板１２の掛止部１７は、仕切板１２が手前側の斜め上方に引き上げられることで空間部２０により手前側に移動して掛止孔１５から外れる。
【００２４】
このように本実施の形態では、本体ケース１０の掛止孔１５に仕切板１２の掛止部１７を挿入し、本体ケース１０の嵌合孔１４に仕切板１２の嵌合部１６を挿入することによって、仕切板１２は、本体ケース１０に確実に固定されて取り付けられ、さらに、掛止部１７の突起部１８で本体ケース１０の底面壁１０ｂに引っ掛かるので、引き上げられる力が加わっても抜けることが無くなり、加えて、本体ケース１０の弾性と空間部２０とで本体ケース１０に対し着脱自在になる。これにより、着脱自在な仕切板１２をつかんでコインケース９を持ち上げることができるようになる。そして、本体ケース１０に対する仕切板１２の仕切位置（仕切板１２を取り付けるために使用する溝部１３）を変更することで硬貨収納部１１の収納スペースを変えることができる。
【００２５】
また、本実施の形態では、掛止部１７は、弾性を有するための弾性孔１９を備えるため、掛止部１７の弾性変形による復元力により突起部１８に本体ケース１０の底面壁１０ｂの下面を上方に押圧する押圧力を与えることができ、その結果として、仕切板１２を本体ケース１０に確実に固定して取り付けることができる。
【００２６】
なお、本実施の形態においては、本体ケース１０及び仕切板１２等を樹脂（例えばプラスチック）で形成しているが、これに限るものではなく、例えば他の材料で形成しても良い。
【００２７】
また、本実施の形態においては、嵌合孔１４を貫通させて形成しているが、これに限るものではなく、例えば貫通させずに凹部状に形成しても良い。
【００２８】
また、本実施の形態においては、嵌合孔１４を本体ケース１０の前面壁１０ａの上部に形成しているが、これに限るものではなく、例えば本体ケース１０の前面壁１０ａの下部や中間部等に形成しても良い。
【００２９】
また、本実施の形態においては、掛止部１７の一部分を切欠くことで掛止部１７の空間部２０を形成しているが、これに限るものではなく、例えば掛止孔１５を手前側方向に拡大しその大きさを調整することで形成しても良い。
【００３０】
また、本実施の形態においては、嵌合部１６の下部を切欠くことで嵌合部１６の空間部２１を形成しているが、これに限るものではなく、例えば嵌合孔１４を下方向に拡大しその大きさを調整することで形成しても良い。
【００３１】
最後に、本実施の形態においては、弾性孔１９を掛止部１７の略中央付近に一個設けているが、これに限るものではなく、例えば掛止部１７の空間部２０付近に近づけて設けても良く、また、複数個設けても良い。なお、仕切板１２が樹脂（例えばプラスチック等）で形成されているので、掛止部１７は弾性を有しており、その弾性力が掛止部１７の弾性変形のために十分な弾性力である場合等には、弾性孔１９を設けなくても良い。
【００３２】
【発明の効果】
本発明によれば、仕切板は本体ケースに対し着脱自在になり、本体ケースに確実に固定されて取り付けられ、引き上げられる力が加えられても抜けることが無くなるので、着脱自在な仕切板をつかんで金銭収納箱を持ち上げることができる。
【図面の簡単な説明】
【図１】ドロワ装置をＥＣＲと共に概略的に示す外観斜視図である。
【図２】キャッシュボックスの構造を概略的に示す分解斜視図である。
【図３】本発明の実施の一形態のコインケースの構造を概略的に示す分解斜視図である。
【図４】コインケースの構造を概略的に示す縦断側面図である。
【図５】従来のコインケースの構造を概略的に示す分解斜視図である。
【符号の説明】
９…金銭収納箱（コインケース）、１０…本体ケース、１０ａ…前面壁、１０ｂ…底面壁、１０ｃ…後面壁、１１…金銭収納部（硬貨収納部）、１２…仕切板、１４…嵌合孔、１５…掛止孔、１６…嵌合部、１７…掛止部、１８…突起部、１９…弾性孔、２０…空間部
【図１】
0003647835.tif 000002
【図２】
0003647835.tif 000003
【図３】
0003647835.tif 000004
【図４】
0003647835.tif 000005
【図５】
0003647835.tif 000006